(57)【要約】【課題】仕切体レスの簡単な構造にして扉開閉時に干渉が発生せず、密閉性良く貯蔵室を閉塞できる観音開き式の冷蔵庫扉装置を提供することを目的とする。【解決手段】本発明は貯蔵室の前面開口部を閉塞するように取り付ける観音開き式の左右２枚の扉１，２で構成される冷蔵庫扉装置であって、左右の扉それぞれの裏面のヒンジ側端縁、上下周縁に冷蔵庫本体の開口縁に当接する柔軟な第１のガスケット１３１，１３２を取り付け、左右の扉それぞれの裏面の非ヒンジ側端縁にその上下全長に渡る長さの柔軟な第２のガスケット１３１，１３２を取り付け、第１のガスケットの上下の水平部の非ヒンジ側端面と第２のガスケットの上下端部側面との突き合う部分を溶着し、左右の扉１，２それぞれの第２のガスケットの相突き合う端縁部には、左右で相吸着し合う極性にして帯状の磁石１６３，１６４を挿入したことを特徴とする。【選択図】図３
2011069537.tif 000002
【特許請求の範囲】
【請求項１】
貯蔵室の前面開口部を閉塞するように取り付ける観音開き式の左右２枚の扉で構成される冷蔵庫扉装置であって、
前記左右の扉それぞれの裏面のヒンジ側端縁、上下周縁に冷蔵庫本体の開口縁に当接する柔軟な第１のガスケットを取り付け、前記左右の扉それぞれの裏面の非ヒンジ側端縁にその上下全長に渡る長さの柔軟な第２のガスケットを取り付け、
前記第１のガスケットの上下の水平部の非ヒンジ側端面と第２のガスケットの上下端部側面との突き合う部分を溶着し、
前記左右の扉それぞれの第２のガスケットの相突き合う端縁部には、左右で相吸着し合う極性にして帯状の磁石を挿入したことを特徴とする冷蔵庫扉装置。
【請求項２】
前記第１のガスケットの上下の水平部の非ヒンジ側端面と第２のガスケットの上下端部側面との突き合う部分では、それぞれの前記左右の扉の裏面に当接するベース部同士だけを溶着したことを特徴とする請求項１に記載の冷蔵庫扉装置。
【請求項３】
前記第２のガスケットの上下の開口端面に蓋を被せたことを特徴とする請求項１又は２に記載の冷蔵庫扉装置。
【請求項４】
貯蔵室の前面開口部を閉塞するように取り付ける観音開き式の左右２枚の扉で構成される冷蔵庫扉装置であって、
前記左右の扉それぞれの裏面のヒンジ側端縁、上下周縁に冷蔵庫本体の開口縁に当接する柔軟な第１のガスケットを取り付け、前記左右の扉それぞれの裏面の非ヒンジ側端縁に前記第１のガスケットの幅分だけ上下端部を短くした長さの柔軟な第２のガスケットを取り付け、
前記第１のガスケットの上下の水平部の非ヒンジ側端部の側面と第２のガスケットの上下端面との突き合う部分それぞれを溶着し、
前記左右の扉それぞれの第２のガスケットの相突き合う端縁部には、左右で相吸着し合う極性にして帯状の磁石を挿入したことを特徴とする冷蔵庫扉装置。
【請求項５】
前記第１のガスケットの上下の水平部の非ヒンジ側端部の側面と第２のガスケットの上下端面との突き合う部分それぞれでは、前記左右の扉の裏面に当接するベース部同士だけを溶着したことを特徴とする請求項４に記載の冷蔵庫扉装置。
【発明の詳細な説明】
【技術分野】
【０００１】
本発明は、扉裏面のガスケットに特徴を持つ冷蔵庫扉装置に関する。
【背景技術】
【０００２】
従来、貯蔵室の前面開口部を閉塞するように取り付ける観音開き式の左右２枚の扉で構成される冷蔵庫扉装置としては、例えば、特開２００２−３２２８５３号公報（特許文献１）に記載されているものが知られている。この従来の冷蔵庫扉装置は、密閉性を良くするために、左右の扉を閉じた時に突き合う非ヒンジ側端面それぞれに柔軟なパッキンを取り付け、さらに一方のパッキンには磁石を挿入し、他方のパッキンには磁石を吸着させる磁性体を挿入し、左右の扉を閉じた時に突き合う端面間で磁石の吸着力によって柔軟なパッキンを変形させ、両方のパッキンを隙間なく密着させ、貯蔵室内外の空気の流通を防ぎ、貯蔵室内の気密性を高める工夫をしている。
【０００３】
ところが、このような従来の冷蔵庫扉装置では、ちょうど左右の扉が閉じた状態で突き合う端面にパッキンを取り付け、その中に磁石あるいは磁性体を挿入しているため、扉を観音開きに開いた状態から閉じる時に、完全に閉まる直前に左右の扉のパッキンの角同士が干渉し合い、ぴったりと閉まる直前の状態のままになることがある。そして不完全な閉塞状態のままで放置されると、冷気が逃げ出してしまい、エネルギロスに繋がる問題点があった。
【先行技術文献】
【特許文献】
【０００４】
【特許文献１】特開２００２−３２２８５３号公報
【発明の概要】
【発明が解決しようとする課題】
【０００５】
本発明は、上記の従来技術の問題点に鑑みてなされたもので、簡単な構造にして扉開閉時に干渉が発生せず、密閉性良く貯蔵室を閉塞できる冷蔵庫扉装置を提供することを目的とする。
【課題を解決するための手段】
【０００６】
本発明は、貯蔵室の前面開口部を閉塞するように取り付ける観音開き式の左右２枚の扉で構成される冷蔵庫扉装置であって、前記左右の扉それぞれの裏面のヒンジ側端縁、上下周縁に冷蔵庫本体の開口縁に当接する柔軟な第１のガスケットを取り付け、前記左右の扉それぞれの裏面の非ヒンジ側端縁にその上下全長に渡る長さの柔軟な第２のガスケットを取り付け、前記第１のガスケットの上下の水平部の非ヒンジ側端面と第２のガスケットの上下端部側面との突き合う部分を溶着し、前記左右の扉それぞれの第２のガスケットの相突き合う端縁部には、左右で相吸着し合う極性にして帯状の磁石を挿入したことを特徴とする。
【０００７】
また、本発明の冷蔵庫扉装置は、貯蔵室の前面開口部を閉塞するように取り付ける観音開き式の左右２枚の扉で構成される冷蔵庫扉装置であって、前記左右の扉それぞれの裏面のヒンジ側端縁、上下周縁に冷蔵庫本体の開口縁に当接する柔軟な第１のガスケットを取り付け、前記左右の扉それぞれの裏面の非ヒンジ側端縁に前記第１のガスケットの幅分だけ上下端部を短くした長さの柔軟な第２のガスケットを取り付け、前記第１のガスケットの上下の水平部の非ヒンジ側端部の側面と第２のガスケットの上下端面との突き合う部分それぞれを溶着し、前記左右の扉それぞれの第２のガスケットの相突き合う端縁部には、左右で相吸着し合う極性にして帯状の磁石を挿入したことを特徴とする。
【発明の効果】
【０００８】
本発明の冷蔵庫扉装置によれば、観音開き式の左右の扉の非ヒンジ側の端部が互いに閉まり合う時に左右の柔軟な第２のガスケット同士がそれらの中に挿入されている磁石により吸着し合う力を受けて変形して互いに密着し、密閉性良く冷蔵庫の貯蔵室を閉塞できる。
【図面の簡単な説明】
【０００９】
【図１】本発明の第１の実施の形態の冷蔵庫扉装置の装備された冷蔵庫の正面図。
【図２】上記実施の形態の冷蔵庫扉装置の庫内側から見た一部破断した正面図。
【図３】上記実施の形態の冷蔵庫扉装置における第１のガスケットの上部と第２のガスケットの上部との突き合わせ部分を扉裏面側から見た斜視図。
【図４】上記実施の形態の冷蔵庫扉装置における左右の第２のガスケットの突き合う部分の突き合わせ状態を示す平面図。
【図５】本発明の第２の実施の形態の冷蔵庫扉装置における第１のガスケットの上部と第２のガスケットの上部との突き合わせ部分を庫内側から見た一部破断した正面図。
【図６】本発明の第３の実施の形態の冷蔵庫扉装置の庫内側から見た一部破断した正面図。
【発明を実施するための形態】
【００１０】
以下、本発明の実施の形態を図に基づいて詳説する。
【００１１】
［第１の実施の形態］図１〜図４を用いて、本発明の第１の実施の形態の冷蔵庫扉装置について説明する。図１には、観音開き式扉１，２を持つ冷蔵庫が示してある。この冷蔵庫は、冷蔵庫本体３内の上部に冷蔵室４、下部に冷凍室５を備え、そして冷蔵室４と冷凍室５との間に製氷室６と小冷凍室７を備えている。冷蔵室４の開口部には観音開き式に左右２枚の扉１，２それぞれが取り付けてある。
【００１２】
冷蔵庫の正面に向かって左側の扉１の左端部は冷蔵庫本体３の冷蔵室４の左端部にヒンジ（図示せず）にて開閉可能に取り付けてある。同じく右側の扉２の右端部は冷蔵庫本体３の冷蔵室４の右端部にヒンジ（図示せず）にて開閉可能に取り付けてある。左右の扉１，２それぞれの閉じた時に互いに突き合う非ヒンジ側端部の表側それぞれにはハンドル１Ａ，２Ａそれぞれが設けてある。尚、この非ヒンジ側端部にハンドル１Ａ，２Ａが設けてあるので、本明細書では、左右の扉１，２の非ヒンジ側端部をハンドル側端部と称することもある。
【００１３】
図２、図３に示すように、左右の扉１，２それぞれの裏面の周縁には溝が形成してあって、楔条１１がベース体１２に形成された柔軟な帯状のガスケット１３が、その楔条１１を溝に圧入することによって左右の扉１，２それぞれの裏面の周縁に取り付けてある。
【００１４】
ガスケット１３として、左側扉１の裏面にあっては、ヒンジ側端部と上下端部それぞれとにコの字形状の第１のガスケット１３１が取り付けてある。また、右側扉２の裏面にあっては、ヒンジ側端部と上下端部それぞれとにコの字形状の第１のガスケット１３２が取り付けてある。そして、ガスケット１３として、左右の扉１，２それぞれの非ヒンジ側端部（ハンドル側端部）に、扉１，２の裏面の上下全長に渡る長さの第２のガスケット１３３，１３４が取り付けてある。
【００１５】
第１、第２のガスケット１３１〜１３４（ガスケット１３で代表する）のいずれについても、全長に渡り、ベース体１２に対して楔条１１が形成され、ベース体１２に対して楔条１１と反対側に袋条部１４が形成されている。そして袋条部１４内における外周端側に位置する部分に磁石挿入筒部１５が形成されている。磁石挿入筒部１５には帯状の磁石１６が全長に渡って挿入されている。
【００１６】
扉１，２の裏面の非ヒンジ端側には、その上下全長に渡る長さの第２のガスケット１３３，１３４が取り付けてある。第１のガスケット１３１，１３２の開放端となる上下の非ヒンジ側端面それぞれは、この第２のガスケット１３３，１３４の上下端部それぞれの側面と突き合わせてあり、各突き合わせ部においてベース体１２同士だけを互いに熱溶着して連結してある。
【００１７】
図４に示すように、扉１，２の非ヒンジ側端部の第２のガスケット１３３，１３４それぞれに挿入されている帯状磁石１６は、第２のガスケット１３３側を磁石１６３、第２のガスケット１３４側を磁石１６４と区別すると、これらの磁石１６３，１６４は突き合う状態で互いに引き合うように磁極Ｎ，Ｓが設定してある。
【００１８】
本実施の形態の冷蔵庫扉装置によれば、上記のように観音開き式の左右の扉１，２それぞれの裏面のヒンジ側端縁、上下周縁に冷蔵庫本体３の開口縁に当接する柔軟なコの字形状の第１のガスケット１３１，１３２を取り付け、左右の扉１，２それぞれの裏面の非ヒンジ側端縁にその上下全長に渡る長さの柔軟な第２のガスケット１３３，１３４を取り付け、第１のガスケット１３１，１３２の上下の水平部の非ヒンジ側端面と第２のガスケット１３３，１３４の上下端部側面との突き合う部分を溶着し、左右の扉１，２それぞれの第２のガスケット１３３，１３４の相突き合う端縁部には、左右で吸着し合う極性にして帯状の磁石１６３，１６４を挿入したことにより、左右の扉１，２を閉めた状態では左右の磁石１６３，１６４が互いに水平に引き合う力を発生して柔軟な第２のガスケット１３３，１３４を中央側に変形させて密着させることができる。このため、従来のように回転仕切を設けなくても気密性良く左右の扉１，２を閉じさせることができる。したがって、従来のように回転仕切のような構造物を必要とせず、低コストにて気密性の良い観音開き式扉の冷蔵庫扉装置を実現できる。
【００１９】
［第２の実施の形態］図５に示すように、本発明の第２の実施の形態の冷蔵庫扉装置は、図１〜図４に示した第１の実施の形態に対して、左右の扉１，２の裏面の非ヒンジ側端縁に上下全長に渡って取り付けた第２のガスケット１３３，１３４それぞれに対して、その上下の開口端面それぞれに蓋１７を嵌め付けたことを特徴とする。尚、その他の構成は第１の実施の形態と共通である。
【００２０】
この第２の実施の形態によれば、第２のガスケット１３３，１３４の上下の開口端面に蓋１７を嵌め付けたことにより、第２のガスケット１３３，１３４の袋条部１４の内部空間に存在する冷気が開口端面から外気に放出されるのを抑制することができ、冷蔵庫としての気密性と共に冷気の逃げを極力抑制することができ、エネルギロスをより低減できる。
【００２１】
［第３の実施の形態］図６を用いて、本発明の第３の実施の形態の冷蔵庫扉装置について説明する。本実施の形態の冷蔵庫扉装置は、図１〜図４に示した第１の実施の形態に対して、図６に示すように第１のガスケット１３１，１３２の非ヒンジ側端部と第２のガスケット１３３，１３４の上下端部との突き合わせ構造を変化させた点に特徴がある。
【００２２】
すなわち、図６に示すように、コの字状の第１のガスケット１３１，１３２の非ヒンジ側端部を扉１，２の裏面の非ヒンジ側端面にまで延長し、逆に第２のガスケット１３３，１３４は上下長を短くしてそれぞれ第１のガスケット１３１，１３２の非ヒンジ側端部の側面に突き合うようにし、それぞれの突き合い面にてベース体１２を熱溶着して一体化している。
【００２３】
第３の実施の形態では、上記の構成にしたことにより、第１の実施の形態と同様の作用、効果を奏する。すなわち、観音開き式の左右の扉１，２それぞれの裏面のヒンジ側端縁、上下周縁に冷蔵庫本体３の開口縁に当接する柔軟なコの字形状の第１のガスケット１３１，３２を取り付け、左右の扉１，２それぞれの裏面の非ヒンジ側端縁にその上下ほぼ全長に渡る長さの柔軟な第２のガスケット１３３，１３４を取り付け、第１のガスケット１３１，１３２の上下の水平部の非ヒンジ側端部の側面と第２のガスケット１３３，１３４の上下端面との突き合う部分を溶着し、左右の扉１，２それぞれの第２のガスケット１３３，１３４の相突き合う端縁部には、左右で吸着し合う極性にして帯状の磁石１６３，１６４を挿入したことにより、左右の扉１，２を閉めた状態では左右の磁石１６３，１６４が互いに水平に引き合う力が発生して柔軟な第２のガスケット１３３，１３４を中央側に変形させて密着させることができ、従来のように回転仕切を設けなくても気密性良く左右の扉１，２を閉じさせることができる。このため、従来のように回転仕切のような構造物を必要とせず、低コストにて気密性の良い観音開き式扉の冷蔵庫を実現できる。
【符号の説明】
【００２４】
１，２  扉
１１  楔条
１２  ベース体
１３  ガスケット
１４  袋条部
１５  磁石挿入筒部
１３１，１３２  第１のガスケット
１３３，１３４  第２のガスケット
１６１〜１６４  帯状磁石
【図１】
2011069537.tif 000003
【図２】
2011069537.tif 000004
【図３】
2011069537.tif 000005
【図４】
2011069537.tif 000006
【図５】
2011069537.tif 000007
【図６】
2011069537.tif 000008